(57)【要約】  【課題】  装置重量を大幅に軽量化して屋根への負担を各段に軽減すると共に、屋根上面と網との間に進入してしまった異物も、人為的な清掃を要さずに円滑に排出可能であり、しかも耐久性および経済性にも秀れた新たな雪止め技術を提供する。  【解決手段】  勾配屋根５の屋根面５０軒先５１から高強度樹脂ネット製雪止めネット２を軒先５１に沿わせて、上方所定範囲に覆い被せるよう帯状に展開し、該雪止めネット２軒先５１がわ２０を屋根面５０から所定寸法分だけ浮かせて支持するよう、複数の掛止鈎３，３，……で掛止する一方、同雪止めネット２上がわ端縁２１は、各雪止め金具６０，６０，……を支持部６，６，……とする高強度樹脂製結束バンド４，４，……で張設状に繋止、固定してなる軒先用雪止め装置１である。【選択図】    図１
2011026845.tif 000002
【特許請求の範囲】
【請求項１】
勾配屋根における屋根面の軒先から上方所定範囲となる帯状面に覆い被せる形状とした高強度樹脂ネット製の雪止めネットを、軒先に沿わせて帯状に展開し、該雪止めネットの軒先がわを当該屋根面から所定寸法分だけ浮かせて支持するよう、軒先部分における棟方向適宜間隔置き毎となる箇所に夫々配した掛止鈎で掛止する一方、同雪止めネットの棟がわ端縁は、同屋根面の当該雪止めネット配置箇所よりも棟寄りとなる要所要所に取着された各雪止め金具か、その他の雪止め兼用吊り金具類かの何れかを支持部とする高強度樹脂製の結束バンドによって夫々張設状に繋止、固定してなるものとしたことを特徴とする軒先用雪止め装置。
【請求項２】
勾配屋根における屋根面の軒先から上方所定範囲となる帯状面に覆い被せる形状とした高強度樹脂ネット製の雪止めネットを、軒先に沿わせて帯状に展開し、該雪止めネットの軒先がわを当該屋根面から所定寸法分だけ浮かせて支持するよう、軒先部分における棟方向適宜間隔置き毎となる箇所に夫々に、高強度樹脂製小片体であって、軒先端縁に対応する下部に軒先用嵌合溝が開口し、同軒先用嵌合溝から上方数ｍｍないし数ｃｍの間隙確保部を隔てた上部に、該軒先用嵌合溝とは１８０°反対がわにネット用掛止スリットが開口した掛止鈎を配すると共に、各掛止鈎の軒先用嵌合溝を対応する軒先端縁に嵌合し、且つ、各ネット用掛止スリットを当該雪止めネットの対応する軒先がわ端緯線部に夫々係合するよう組み合わせる一方、同雪止めネットの棟がわ端縁は、同屋根面の当該雪止めネット配置箇所よりも棟寄りとなる要所要所に取着された各雪止め金具か、その他の雪止め兼用吊り金具類かの何れかを支持部とする高強度樹脂製の結束バンドによって夫々張設状に繋止、固定してなるものとしたことを特徴とする軒先用雪止め装置。
【請求項３】
勾配屋根における屋根面の軒先から上方所定範囲となる帯状面に覆い被せる形状とした高強度樹脂ネット製の雪止めネットを、軒先に沿わせて帯状に展開し、該雪止めネットの軒先がわを当該屋根面から所定寸法分だけ浮かせて支持するよう、軒先部分における棟方向適宜間隔置き毎となる箇所に夫々に、高強度樹脂製小片体であって、軒先端縁に対応する下部に軒先用嵌合溝が開口し、同軒先用嵌合溝から上方１ｃｍの間隙確保部を隔てた上部に、該軒先用嵌合溝とは１８０°反対がわにネット用掛止スリットが開口した掛止鈎を配すると共に、各掛止鈎の軒先用嵌合溝を対応する軒先端縁に嵌合し、且つ、各ネット用掛止スリットを当該雪止めネットの対応する軒先がわ端緯線部に夫々係合するよう組み合わせる一方、同雪止めネットの棟がわ端縁は、同屋根面の当該雪止めネット配置箇所よりも棟寄りとなる要所要所に取着された各雪止め金具か、その他の雪止め兼用吊り金具類かの何れかを支持部とする高強度樹脂製の結束バンドによって夫々張設状に繋止、固定してなるものとしたことを特徴とする軒先用雪止め装置。
【請求項４】
雪止めネットが、盛土、土壁、地盤補強用のジオテキスタイルであるポリエチレン製高強度ネットを適切な寸法の矩形帯状に裁断してなるものとした、請求項１ないし３何れか一項記載の軒先用雪止め装置。
【請求項５】
雪止めネットが、盛土、土壁、地盤補強用のジオテキスタイルである、網目の各開口巾が２５ｍｍ、各開口長が３５ｍｍのポリエチレン製高強度ネットを適切な寸法の矩形帯状に裁断してなるものとした、請求項１ないし４何れか一項記載の軒先用雪止め装置。
【請求項６】
各掛止鈎が、厚さ３ないし１０ｍｍのポリエチレン製高強度片からなり、軒先用嵌合溝が開口端に向けて拡開する側断面形状横転Ｖ字状に形成してなるものとした、請求項１ないし５何れか一項記載の軒先用雪止め装置。
【請求項７】
雪止めネット、各掛止鈎および各結束バンドが全て、屋外で２０年以上の耐久性を確保した耐候性、黒色の高強度ポリエチレン樹脂成形品からなるものとした、請求項１ないし６何れか一項記載の軒先用雪止め装置。
【発明の詳細な説明】
【技術分野】
【０００１】
この発明は、積雪した建築物の屋根からの落雪を防止する技術に関するものであり、特に、軒先に沿って装着される落雪防止装置を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                            
【背景技術】
【０００２】
（着目点）
一般的な住宅の、切り妻、招き、片流れ、腰折、下屋付きなどの勾配屋根は、少なくとも３／１０の勾配に設定されており、図１０の積雪した住宅屋根の側面図中に示すように、降雪量の多い地域では、屋根５上に積もった雪全体Ｓが、日中の気温上昇や強風の吹き付けなどによって屋根面５０上をゆっくりと滑り、軒先５１から迫り出して雪庇Ｓ１となり、屋根５に接した雪庇Ｓ１の下面が日中に解けて夜間に再凍結することを繰り返し、硬い氷の層を形成して屋根５上の積雪Ｓに強固に結合し、多少の日照によっても落下することがなく、下向きに彎曲するよう成長して垂れ下がり、次第に氷柱Ｔを伴って成長してスガモリの原因となったり、自重に耐えられなくなった瞬間や強風が吹き付けたときなどに積雪Ｓを伴って一挙に落下し、雨樋５２を破壊したり、隣家や自宅、ブロック塀などに損害を与えてしまうことがある外、このような危険を回避するために迫り出した雪庇Ｓ１を除去しようとして、一気に落下してきた雪庇Ｓ１に巻き込まれてしまうという事故が後を絶たないという状況にある。
【０００３】
（従来の技術）
そうした事情を打開しようとして、例えば、後記する特許文献１（１）に掲載されている発明のように、軒先から上方所定範囲の矩形状範囲に渡り、金属製のフレームに金網を張着した本体を設け、該本体の軒先がわとなる端部がわに、金属製線材からなる堰き止め用の部分を形成して滑落雪を確実に阻止すると共に、積雪下に空気を流通可能として融雪の促進効果が得られるようにしたものや、同特許文献１（２）に見られるような、屋根面への止着部を有する矩形状の平面格子部を設け、該平面格子部の軒先がわ配置となる下端がわに膨出格子部を設けた枠体、および、その枠体に沿って張設した合成樹脂製ネットを設けてなり、軽量化によって設置作業性を改善し、落雪を防止して、軒先付近の積雪下に通気性を確保して融雪を促進可能とするようにしたものなどが散見される。
【０００４】
こうした雪庇Ｓ１の発生を防止するには、例えば、図１１の落雪防止装置を設置した屋根の側面図、および、図１２の落雪防止装置を設置した屋根の正面図に示すように、屋根面５０の軒先５１から上方所定範囲に、側断面形が直角三角形状をなす金属製フレームに金属製網を張設した落雪防止装置Ｐを設置して、ゆっくりと滑り落ちてくる積雪Ｓ（図１１中に二点鎖線で示す）を堰き止めて、図１０に示したような、雪庇Ｓ１の発生を阻止すると共に、該落雪防止装置Ｐ上に移動してきた積雪Ｓの下面に、金属製網を通じて流入する日中の暖かい空気（図１１中に破線で示す）を接触させて棟がわの積雪部分よりも早く融解し、雪解け水を雨樋５２に流下するようにして、雪庇や氷柱の発生を防止できるようにしたものなどがある。
【０００５】
ところが、このように屋根面５０の軒先５１に大型の金属製フレームと、それに張設した金属製網または合成樹脂製ネットとからなる落雪防止装置Ｐは、何よりもその重量が嵩み、住宅屋根５に多大な負担を掛けて耐震強度の低下を招くばかりでなく、屋根面５０と該金属製フレーム底面とが面同士で当接しており、その隙間に埃や枯葉などが詰まり易く、次第に苔や青味泥などを生じてしまうなど、屋根５の吹き板材を早期に傷めてしまう原因となる外、装置Ｐ重量が嵩むことから、屋根５の塗装作業などのメンテナンスに際しての取り外しや再装着作業に多大な労力と経費とを要するものであり、さらに、夏季などには、装置Ｐ自体が目立って住宅屋根５の外観を損ねてしまうことにもなり、仮令金属製フレームに合成樹脂製のネットを張設したとしても、金属網に比較すれば、ある程度の軽量化は達成できるものの、多くの欠点を残すものであることに大きな違いはなかった。
【０００６】
さらに、こうした欠点を改善し得るものとして、特許文献１（３）に代表するように、勾配屋根に網の上縁を繋止するとともに、勾配屋根の上面に沿って、ひし形金網、厚マット、熔接金網、クリップ金網、亀甲金網、エキスパンド金網、または、プラスチック製、樹脂製、化学繊維製、ＦＲＰ製、ゴム製などの何れかの網を張設し、網の下縁を勾配屋根の軒先に取り付けてある雨樋を包みこむように延在させ、網にテンションを掛けて雨樋受け金具に取り付け、落雪を防止することができ、積雪が屋内暖房の熱で融けて水になり勾配屋根に沿って雨樋に流れるようにして雨樋の破損や氷柱の発生を防止できると共に、屋根上面より大きく膨出する形状部分が無く、住宅の外観を損ねないという利点を有するものが既に開発されてはいるが、前記プラスチック製、樹脂製、化学繊維製、ＦＲＰ製、ゴム製などの網は、強度や耐久性を考慮すると、やはり亜鉛鍍金塗装を施した鉄線ワイヤーからなる金網を用いるのが望ましいと云わざるを得ないものであった。                                              
【特許文献１】（１）特開２００６−２０７２３４号公報    （２）特開２００８−１３８３７６号公報    （３）特許第３６０６３２０号公報
【発明の開示】
【発明が解決しようとする課題】
【０００７】
（問題意識）
上述したとおり、従前までに提案のある各種の落雪防止用の装置類は、何れも金属製のフレームに金網を張設してなるものが殆どであり、重量が嵩んで住宅の屋根面に大きな負担を掛けてしまうという欠点を有しており、また、勾配屋根の上面に沿って接するよう張設してなるものは、屋根上面と網との間に進入した枯葉や埃などが、挟着状に保持されてしまい、通状の雨や風では容易に排出されず、人為的に清掃しなければ、苔や青味泥などの発生に繋がり易く、住宅屋根の外観を損ねるだけでなく葺き材を傷めてしまう虞のあるものであってメンテナンスを頻繁に行わなければならないという欠点は依然として解決されないままで、軽量で屋根に負担を掛けず、しかも軒先の積雪下面に外気を誘導可能とすると共に、屋根上面と網との間に進入してしまった枯葉や埃も円滑に排出してメンテナンスの頻度を大幅に低減可能とするようにした技術については、未だ存在しないという状況にある。
【０００８】
（発明の目的）
そこで、この発明は、装置重量を大幅に軽量化して屋根への負担を各段に軽減すると共に、屋根上面と網との間に進入してしまった枯れ葉等の異物も人為的な清掃をしなくても自然に排出可能であり、しかも耐久性および経済性にも秀れた新たな雪止め技術の開発はできないものかとの判断から、逸速くその開発、研究に着手し、長期に渡る試行錯誤と幾多の試作、実験とを繰り返してきた結果、今回、遂に新規な構造の軒先用雪止め装置を実現化することに成功したものであり、以下では、図面に示すこの発明を代表する実施例と共に、その構成を詳述することとする。                                                                                      
【課題を解決するための手段】
【０００９】
（発明の構成）
図面に示すこの発明を代表する実施例からも明確に理解されるように、この発明の軒先用雪止め装置は、基本的に次のような構成から成り立っている。
即ち、勾配屋根における屋根面の軒先から上方所定範囲となる帯状面に覆い被せる形状とした高強度樹脂ネット製の雪止めネットを、軒先に沿わせて帯状に展開し、該雪止めネットの軒先がわを当該屋根面から所定寸法分だけ浮かせて支持するよう、軒先部分における棟方向適宜間隔置き毎となる箇所に夫々配した掛止鈎で掛止する一方、同雪止めネットの棟がわ端縁は、同屋根面の当該雪止めネット配置箇所よりも棟寄りとなる要所要所に取着された各雪止め金具か、その他の雪止め兼用吊り金具類かの何れかを支持部とする高強度樹脂製の結束バンドによって夫々張設状に繋止、固定してなるものとした構成を要旨とする軒先用雪止め装置である。
【００１０】
この基本的な構成からなる軒先用雪止め装置を表現を変えて示すと、勾配屋根における屋根面の軒先から上方所定範囲となる帯状面に覆い被せる形状とした高強度樹脂ネット製の雪止めネットを、軒先に沿わせて帯状に展開し、該雪止めネットの軒先がわを当該屋根面から所定寸法分だけ浮かせて支持するよう、軒先部分における棟方向適宜間隔置き毎となる箇所に夫々に、高強度樹脂製小片体であって、軒先端縁に対応する下部に軒先用嵌合溝が開口し、同軒先用嵌合溝から上方数ｍｍないし数ｃｍの間隙確保部を隔てた上部に、該軒先用嵌合溝とは１８０°反対がわにネット用掛止スリットが開口した掛止鈎を配すると共に、各掛止鈎の軒先用嵌合溝を対応する軒先端縁に嵌合し、且つ、各ネット用掛止スリットを当該雪止めネットの対応する軒先がわ端緯線部に夫々係合するよう組み合わせる一方、同雪止めネットの棟がわ端縁は、同屋根面の当該雪止めネット配置箇所よりも棟寄りとなる要所要所に取着された各雪止め金具か、その他の雪止め兼用吊り金具類かの何れかを支持部とする高強度樹脂製の結束バンドによって夫々張設状に繋止、固定してなるものとした構成からなる軒先用雪止め装置なる。
【００１１】
より具体的には、勾配屋根における屋根面の軒先から上方所定範囲となる帯状面に覆い被せる形状とした高強度樹脂ネット製の雪止めネットを、軒先に沿わせて帯状に展開し、該雪止めネットの軒先がわを当該屋根面から所定寸法分だけ浮かせて支持するよう、軒先部分における棟方向適宜間隔置き毎となる箇所に夫々に、高強度樹脂製小片体であって、軒先端縁に対応する下部に軒先用嵌合溝が開口し、同軒先用嵌合溝から上方１ｃｍの間隙確保部を隔てた上部に、該軒先用嵌合溝とは１８０°反対がわにネット用掛止スリットが開口した掛止鈎を配すると共に、各掛止鈎の軒先用嵌合溝を対応する軒先端縁に嵌合し、且つ、各ネット用掛止スリットを当該雪止めネットの対応する軒先がわ端緯線部に夫々係合するよう組み合わせる一方、同雪止めネットの棟がわ端縁は、同屋根面の当該雪止めネット配置箇所よりも棟寄りとなる要所要所に取着された各雪止め金具か、その他の雪止め兼用吊り金具類かの何れかを支持部とする高強度樹脂製の結束バンドによって夫々張設状に繋止、固定してなるものとした構成からなる軒先用雪止め装置となる。                                            
【発明の効果】
【００１２】
以上のとおり、この発明の軒先用雪止め装置によれば、従前までのものとは違い、上記したとおりの固有の特徴ある構成から、軒先からの落雪や、軒先に氷柱が発生するのを確実に防止でき、しかも主要部分をなす雪止めネット、それを軒先に沿って掛止可能とする複数個の掛止鈎、および、雪止め金具類を支持部として該雪止めネットを帯状に展開張設する複数の結束バンドの全てを、高強度樹脂製のものとして、従来型の金属製フレームに金属製網を張着した雪止め装置に比較して遙かに軽量で部品点数も少なく、それだけ設置作業が容易で短時間の中に設置を完了し得てかなり安価に設置することができ、しかも屋根への重量負担が少なく、高い耐久性を有して錆びることなく長期間利用することができる上、屋根上面からの突出量を少なくして建築物の外観を損ねないという大きな特徴を備え、取外しや再装着作業も極めて容易となって屋根の再塗装などの際のメンテナンス性に秀れており、各段に経済的なものとすることができ、しかも雪止めネットの軒先がわを当該屋根面から所定寸法分だけ浮かせて支持してあることから、勾配屋根軒先上面と雪止めネットとの隙間に外気を通気させ、雪止めネット上の積雪を迅速に融解、消雪することができるという利点が有る。
【００１３】
また、各掛止鈎個々は、高強度樹脂製小片体であって、軒先端縁に対応する下部に軒先用嵌合溝を開口し、同軒先用嵌合溝から上方数ｍｍないし数ｃｍの間隙確保部を隔てた上部に、該軒先用嵌合溝の１８０°反対がわとなる箇所にネット用掛止スリットを開口したものは、各掛止鈎の軒先用嵌合溝を対応する軒先端縁に嵌合し、且つ、各ネット用掛止スリットを当該雪止めネットの対応する軒先がわ端緯線部に夫々係合するよう組み合わせ可能であり、構造が簡素化な故に製造が容易で、より低廉にて提供可能となり、しかも各掛止鈎の組み込み作業に工具類を一切必要とせずワンタッチで勾配屋根軒先端縁に掛止装着でき、設置作業の各段の効率化を確実に達成可能とすることができる上、各間隙確保部が、勾配屋根軒先上面と雪止めネットとの隙間を数ｍｍないし数ｃｍに確実に維持し、雪止めネット上に堰き止められた積雪の下がわに通気性を確保して外気熱による融解を促進可能とすることができ、勾配屋根軒先上面と雪止めネットとの隙間に進入してしまった枯葉や埃なども、雨水の流下や強風などの吹き付けによって簡単に排除されることとなって勾配屋根の劣化を防止でき、メンテナンス作業の頻度を大幅に減少できるという効果を奏するものである。
【００１４】
各掛止鈎の間隙確保部を上下１ｃｍに設定してなるものは、１ｃｍ未満に設定したものに比較して、勾配屋根軒先上面と雪止めネットとの隙間に、より多くの外気を通気可能とすることができ、積雪の融解速度を高めるものとなり、１ｃｍを超えた寸法に設定したものの場合に比較し、雪止めネット上に過大な重量の積雪が有った場合に、雪止めネットの変形量を適切に軽減することができるから、雪止めネットおよび掛止鈎を通じて勾配屋根軒先に加わる集中的荷重負担を分散可能とし、秀れた耐久強度を確保可能なものとすることが可能となる。
【００１５】
雪止めネットが、盛土、土壁、地盤補強用のジオテキスタイルであるポリエチレン製高強度ネットを適切な寸法の矩形帯状に裁断してなるものとした場合には、大量の土砂の崩落などを阻止可能な強度を有する材質であるから、勾配屋根上の積雪も充分な強度と摩擦力とによって安全に堰き止めることができ、しかも大量に市販されている既製品を応用可能としてあり、新たな新素材を開発する場合に比較して遙かに経済的に利用することができるという大きな利点が得られる。
【００１６】
各掛止鈎が、厚さ３ないし１０ｍｍのポリエチレン製高強度片からなり、軒先用嵌合溝が開口端に向けて拡開する側断面形状横転Ｖ字状に形成してなるものとした場合には、勾配屋根軒先に掛止、設置した場合にも目立たず、住宅の外観を損ねることがない上、充分な掛止強度を確保することができ、高い安全性を確保でき、各掛止鈎は、射出成型する外、厚さ３ないし１０ｍｍのポリエチレン製高強度板素材を裁断、または、金型による打ち抜き加工など、様々な製造手段によって低廉に大量生産することができるから、金属製の金具類を用いた場合に比べれば各段に経済的なものとすることができる。
【００１７】
雪止めネット、各掛止鈎および各結束バンドが、全て、屋外で２０年以上の耐久性を確保した耐候性、黒色の高強度ポリエチレン樹脂成形品からなるものとした場合には、それ以外の金属製部品類を使用した場合に比較して遙かに低廉にて設置可能であって、しかも防錆の面などを含めて金属製部品類より高い耐久強度を確保可能であり、設置、利用、メンテナンスおよび老朽後の撤去、リサイクル処理まで、各段に経済的で自然環境にも優しいという利点が得られるものとなる。                                                                                  
【発明を実施するための最良の形態】
【００１８】
上記したとおりの構成からなるこの発明の実施に際し、その最良もしくは望ましい形態について説明を加えることにする。
雪止めネットは、勾配屋根における屋根面上の積雪が、軒先がわから落雪するのを阻止すると共に、軒先がわに堰き止めた積雪の下面がわに外気を通気可能とするよう屋根面から所定寸法分だけ浮かせた状態に支持可能とするものであり、しかも積雪の無いときに外観上目立たず、地上から殆ど見えないか、または、完全に見えない状態に配置可能とするものであり、屋根面の軒先から上方所定範囲となる帯状面に覆い被せる形状とした高強度樹脂ネット製のものとしなければならず、盛土、土壁、地盤補強用のジオテキスタイルであるポリエチレン製高強度ネットを適切な寸法の矩形帯状に裁断してなるものとすべきであり、落雪防止効果や通気性、耐久強度および経済性など考慮すると、後述する実施例に示すように、雪止めネットが、盛土、土壁、地盤補強用のジオテキスタイルである、網目の各開口巾が２５ｍｍ、各開口長が３５ｍｍのポリエチレン製高強度ネットを適切な寸法の矩形帯状に裁断してなるものとするのが望ましい。
また、この雪止めネットの屋根面上の張設範囲は、張設構造およびその耐久強度や、落雪防止効果、設置費用などを考慮すると、屋根面の軒先から上方２０ｃｍないし１ｍの範囲とすることができ、さらに経済性や耐久性を高めるには、軒先から上方２５ｃｍないし６０ｃｍに設定されたものとするのが望ましく、後述する実施例に示すように、軒先から上方４４ｃｍに設定したものとすることができる。
【００１９】
掛止鈎は、雪止めネットの軒先がわを、屋根面の軒先に沿って同屋根面から所定寸法分だけ浮かせて支持するよう、ワンタッチで掛止、固定可能とする機能を果たし、充分な強度をもって雪止めネットを掛止可能な形状、寸法および素材からなるものとしなければならず、高強度樹脂製のものとすべきであり、高強度樹脂製小片体であって、軒先端縁に対応する下部に軒先用嵌合溝が開口し、同軒先用嵌合溝から上方数ｍｍないし数ｃｍの間隙確保部を隔てた上部に、該軒先用嵌合溝とは１８０°反対がわにネット用掛止スリットが開口したものとすべきであり、後述する実施例に示すように、間隙確保部の上下寸法を１ｃｍ前後とし、さらに、厚さ３ないし１０ｍｍのポリエチレン製高強度片からなり、軒先用嵌合溝が開口端に向けて拡開する側断面形状横転Ｖ字状に形成してなるものとすることができる。
【００２０】
結束バンドは、屋根面の軒先に沿わせて帯状に展開した雪止めネットの棟がわ（上端縁がわ）端縁を、その支持部となる屋根面の当該雪止めネット配置箇所よりも棟寄り（上端縁寄り）となる要所要所に取着された各雪止め金具か、その他の雪止め兼用吊り金具類かの何れかの支持部に吊着状に連結し、緊張状に繋止固定可能とする機能を果たし充分な強度を有する高強度樹脂製のものとしなければならず、経済性を考慮すると、市販量産品をそのまま利用すべきであって、当該支持部は、雪止め金具以外の吊り金具類とすることが可能である。
【００２１】
これら雪止めネット、各掛止鈎および各結束バンドは全て、後述する実施例に示すように、屋外で２０年以上の耐久性を確保した耐候性、黒色の高強度ポリエチレン樹脂成形品からなるものとするのが望ましい。
以下では、図面に示すこの発明を代表する実施例と共に、その構造について詳述することとする。                                                                                                            
【実施例１】
【００２２】
図１の屋根上の軒先用雪止め装置を軒先方向から見た斜視図、図２の屋根上の軒先用雪止め装置を棟方向から見た斜視図、図３の雪止めネットの平面図、図４の掛止鈎の三面図、図５の結束バンド支持部を変更した軒先用雪止め装置を軒先方向から見た斜視図、図６の結束バンド支持部を変更した軒先用雪止め装置を棟方向から見た斜視図、図７の屋根上の軒先用雪止め装置を軒先方向から見た正面図、図８の屋根上の軒先用雪止め装置を棟方向から見た側面図、および、図９の図８中の一点鎖線円で囲んだ軒先付近の拡大図に示す事例は、勾配屋根５の屋根面５０軒先５１から高強度樹脂ネット製雪止めネット２を軒先５１に沿わせて、上方所定範囲に覆い被せるよう帯状に展開し、該雪止めネット２軒先５１がわ２０を屋根面５０から所定寸法分だけ浮かせて支持するよう、複数の掛止鈎３，３，……で掛止する一方、同雪止めネット２上がわ端縁２１は、各雪止め金具６０，６０，……を支持部６，６，……とする高強度樹脂製結束バンド４，４，……で張設状に繋止、固定してなるものとした、この発明の軒先用雪止め装置における代表的な一実施例を示すものである。
【００２３】
それら各図からも明確に把握できるとおり、この発明の軒先用雪止め装置１は、その主要部分が、一般に盛土、土壁、地盤補強用として広く用いられているジオテキスタイルであって矩形状網目の各開口巾が２５ｍｍ、各開口長が３５ｍｍ、屋外で２０年以上の耐久性を確保した耐候性、黒色のポリエチレン製高強度ネットから、勾配屋根５における屋根面５０の軒先５１から上方に展開される奥行き寸法を４４０ｍｍ程度、軒先５１の棟方向寸法に相当する長さであって、左右両端が夫々屋根面５０左右端の支持部６，６となる最も左右端がわ配置の雪止め金具６０，６０間の距離に相当する長さに裁断した雪止めネット２からなり、その平面形状は、図３中に示すようなものである。
【００２４】
雪止めネット２用のジオテキスタイルには、例えば、前田工繊株式会社製のアデム（登録商標）、株式会社田中製のインターフォース（登録商標）、タキロン株式会社製セルフォース（登録商標）、三井化学産資株式会社製テンサー（技術審査証明取得材料：第０２０１号）などを利用することができる。
【００２５】
図４に示すように、掛止鈎３は、屋外で２０年以上の耐久性を確保した耐候性、黒色の高強度ポリエチレン樹脂製の、厚さＤ＝６ｍｍの高強度樹脂板から、同図４中に示す、各部の寸法通りに裁断してなる製小片体３であって、屋根面５０軒先５１端縁に対応する端縁下部に、開口端に向けて拡開する側断面形状横転Ｖ字状の軒先用嵌合溝３０が開口し、同軒先用嵌合溝３０から上方Ｊ＝１３ｍｍの間隙確保部３１を隔てた上部で、該軒先用嵌合溝３０とは１８０°反対がわの箇所にネット用掛止スリット３２が開口してあり、各部の寸法は、同図４中に示すように、Ｗ＝４７ｍｍ、Ｈ＝４２ｍｍ、Ｄ＝６ｍｍ、Ａ＝１５ｍｍ、Ｂ＝３２ｍｍ、Ｃ＝２７ｍｍ、Ｅ＝１５ｍｍ、Ｆ＝１２ｍｍ、Ｇ＝２ｍｍ、Ｊ＝１３ｍｍ、Ｋ＝１９ｍｍ、Ｍ＝１４ｍｍに設定したものとなっている。
【００２６】
結束バンド４は、例えば、パンドウイットコーポレーション製スーパーリールバンド（登録商標）や、ヘラマンタイトン株式会社製インシュロック（商品名）など、屋外で２０年以上の耐久性を確保した耐候性、黒色の高強度ポリエチレン樹脂成形品からなる、充分な強度を有する市販品の結束バンドまたはケーブルタイなどをそのまま利用することができる。
【００２７】
（実施例１の作用）
図３および図４中に示すように、各部品からなるこの発明の軒先用雪止め装置１は、図１および図２中に示してあるとおり、前記実施例に示した雪止めネット２、複数個の掛止鈎３，３，……、および、複数本の結束バンド４，４，……を夫々設置対象となる建築物の勾配屋根５上に運び揚げ、雪止めネット２の下端縁を屋根面５０の軒先５１に揃え、棟方向に沿って上方範囲に帯状に展開すると共に、該雪止めネット２の（軒先５１がわ配置とした）下端緯線部２０には、軒先に沿って４５０ｍｍ毎に配した各掛止鈎３，３，……の各掛止スリット３２，３２，……を嵌合し、それら各掛止鈎３，３，……の各軒先用嵌合溝３０，３０，……を屋根面５０軒先５１の端縁に嵌合させ、該雪止めネット２の下端縁２０を軒先５１に沿って確り掛止したものとする。
【００２８】
続いて、当該雪止めネット２の上端緯線部２１よりも上方に配置した支持部６，６，……としての各雪止め金具６０，６０，……の基部に巻掛けた結束バンド４，４，……夫々を、その（流れ方向）下方に対応する雪止めネット２（網目）の上端緯線部２１に巻掛けた上、緊張状に引き締め、必要に応じて余剰となったバンド先端部分を切除し、当該雪止めネット２の下端緯線部２０および上端緯線部２１にテンションを掛けた状態に張設、固定したものとする。
支持部６，６，……としての各雪止め金具６０，６０，……は、図１および図２中に示すような、富士型、山高型、扇型、平板型などの各種雪止め（トンボ）の外、図５および図６中に示すような、棟方向に長いアングル型の雪止めや、その他の吊り金具類などとすることができる。
【００２９】
こうして設置された軒先用雪止め装置１は、当該雪止めネット２の軒先５１がわとなる下端緯線部２０が、屋根面５０から、各掛止鈎３，３，……の間隙確保部３１上下寸法Ｊ＝１３ｍｍ（図４に示す）分だけ浮かせて支持されたものとしてあるから、図７ないし図９中に示すように、勾配屋根５上に降り積もった雪Ｓが屋根勾配に沿って落雪するよう滑り始めたときに、該屋根勾配よりも僅かに緩やかな緩傾斜姿勢で張設された当該雪止めネット２の網目による摩擦力によって、積雪Ｓの移動を堰き止めて雪庇の発生を阻止すると共に、同図７ないし図９中に破線矢印で示すように、屋根面５０と雪止めネット２との間に最大１３ｍｍの隙間が開口していて、雪止めネット２上の積雪Ｓ下面がわに外気を自然に流入、接触させて融解を促進し、速やかに消雪するものとなり、雪解け水は屋根面５０を伝って、通状の雨滴と同様に雨樋５２に流入、排水されることとなるから、氷柱の発生を阻止するものとなる。
【００３０】
（実施例１の効果）
以上のような構成からなる実施例１の軒先用雪止め装置１は、前記この発明の効果の項で記載の特徴に加え、図４中に示すように、掛止鈎３，３，……が、巾Ｗ＝４７ｍｍ、厚みＤ＝６ｍｍ、所定長さの棒状に成型された高強度樹脂製板材から、長さＨ＝４２ｍｍの矩形断面形状の小片体とするよう裁断した上、軒先用嵌合溝３０および掛止スリット３２夫々を打ち抜き加工、または切削加工などの適宜加工を施して大量生産することが可能であり、経済的に大量生産することができる上、該軒先用嵌合溝３０が適切な角度の横転Ｖ字状に開口されているから、図１、図２、図５ないし図９中に示すように、勾配屋根５軒先５１端縁に簡単且つ確実に掛止するよう装着可能であり、設置作業を大幅に効率化して設置費用を各段に低廉化することができ、しかも、高強度でありながら適度に弾性変形する性質があり、銅板や亜鉛鍍金鋼板、スレートなどの葺き板を変形させたり、またはそれらの鍍金層や塗装層などに傷付けたりせずに、確りと固定できるという秀れた特徴を発揮するものとなる。
【００３１】
（結  び）
叙述の如く、この発明の軒先用雪止め装置は、その新規な構成によって所期の目的を遍く達成可能とするものであり、しかも製造も容易で、従前からの金属製枠に金属製の網を張着したものを軒上部設置する雪止め技術に比較し、大幅に軽量化して屋根への荷重負担や設置作業の労力を大幅に軽減し得て設置作業時間を短縮し、遥かに低廉で経済的なものとすることができる上、屋根の葺き替えや塗装のときには容易に撤去して簡単に新品と交換でき、その他の合成樹脂と同様にリサイクル処理することができるから、従前までのように多額の費用を費やして設置し、老朽後には再び撤去費用が嵩んでしまうという課題を一挙に解決でき、従前までであれば、止むなく高価で重量の嵩む雪止め装置の設置を勧めざるを得なかった屋根葺き材業界および建築業界は固よりのこと、これまで落雪防止用として多大な費用を要していた一般家庭においても高く評価され、広範に渡って利用、普及していくものになると予想される。                                                                                                    
【図面の簡単な説明】
【００３２】
図面は、この発明の軒先用雪止め装置の技術的思想を具現化した代表的な幾つかの実施例を示すものである。
【図１】軒先方向から見た屋根上の軒先用雪止め装置を示す斜視図である。
【図２】棟方向から見た屋根上の軒先用雪止め装置を示す斜視図である。
【図３】雪止めネットを示す平面図である。
【図４】掛止鈎を示す三面図である。
【図５】軒先方向から見た結束バンド支持部を変更した軒先用雪止め装置を示す斜視図である。
【図６】棟方向から見た結束バンド支持部を変更した軒先用雪止め装置を示す斜視図である。
【図７】軒先方向から見た屋根上の軒先用雪止め装置を示す正面図である。
【図８】棟方向から見た屋根上の軒先用雪止め装置を示す側面図である。
【図９】図８中の一点鎖線円内を拡大して示す側面図である。
【図１０】積雪した住宅屋根を示す側面図である。
【図１１】従来型の落雪防止装置を設置した屋根を示す側面図である。
【図１２】従来型の落雪防止装置を設置した屋根を示す正面図である。
【符号の説明】
【００３３】
１      軒先用雪止め装置
２      雪止めネット
２０    同  下端緯線部
２２    同  上端緯線部
３      掛止鈎
３０    同  軒先用嵌合溝
３１    同  間隙確保部
３２    同  掛止スリット
４      結束バンド
５      勾配屋根
５０    同  屋根面
５１    同  軒先
５２    同  雨樋
６      支持部
６０    同  雪止め金具
Ｓ      積雪
Ｓ１    同  雪庇
Ｔ      氷柱                                                                                              
【図１】
2011026845.tif 000003
【図２】
2011026845.tif 000004
【図３】
2011026845.tif 000005
【図４】
2011026845.tif 000006
【図５】
2011026845.tif 000007
【図６】
2011026845.tif 000008
【図７】
2011026845.tif 000009
【図８】
2011026845.tif 000010
【図９】
2011026845.tif 000011
【図１０】
2011026845.tif 000012
【図１１】
2011026845.tif 000013
【図１２】
2011026845.tif 000014